(57)【要約】      （修正有）【課題】自動販売機に、一般の宣伝広告用の広告塔としての機能を付加することにより、自動販売機設置による営業効率の向上をはかれるようにする。【解決手段】自動販売機の筐体１の前面または側面の一部に、当該自動販売機の販売対象商品とは無関係な一般広告（イベント案内を含む）を表示するための専用広告表示部８、１４、１５を装備したことを特徴とする自動販売機。【選択図】図１
0003140933.tif 000002
【実用新案登録請求の範囲】
【請求項１】
自動販売機の筐体の前面または側面の一部に、当該自動販売機の販売対象商品とは無関係な一般広告（イベント案内を含む）を表示するための専用広告表示部を装備したことを特徴とする自動販売機。
【請求項２】
前記専用広告表示部は、筐体に設けた窓状開口部であって、この開口部の内側に画像を表示する電子パネルを配置し、この電子パネルに当該自動販売機の販売対象商品と無関係な一般広告（イベント案内を含む）の映像を電子的に表示させるための電子制御部を筐体内に設置したことを特徴とする請求項１に記載した自動販売機。
【請求項３】
前記専用広告表示部は、自動販売機設置者（管理者を含む）が管理する専用のレンタルスペースとして構成したことを特徴とする請求項１または請求項２に記載した自動販売機。
【考案の詳細な説明】
【技術分野】
【０００１】
この考案は、商店街や駅周辺、デパート、コンビニその他街角に設置されている自動販売機に関するもので、特に箱型の自動販売機に汎用広告塔としての装備を付設し、自動販売機で取り扱われる商品やその取り扱い流通業者の宣伝以外の一般広告を専用的に表示する機能を自動販売機に付加したものである。
【背景技術】
【０００２】
近年自動販売機は、タバコや飲料・酒類の販売用に留まらず、小型の日用品や文具・雑誌・新聞など広い商品分野に使用されるようになり、またその設置場所も繁華街のみならず住宅地や地方の名所・集会所などにも普及するなど、普及台数が激増しつつある。
【０００３】
従来この自動販売機では、その筐体の正面部などに当該自動販売機で販売される商品の宣伝広告を印字表記したり、当該商品や自動販売機のメーカのブランドを表示することは広く行なわれており、当該取り扱い商品の広告効果を高めるための装置を付加した発明や、当該商品の販売規制（年齢制限・時間制限など）に対応するための発明（特許文献１・特許文献２）も提案されている。
しかしこの自動販売機に、その取り扱い商品の宣伝広告やその関連業者のブランド以外の一般商品や一般大衆向けのイベント掲示や広告（以下一般広告という）のための専用表示部を設けたものは実用されていない。
【特許文献１】特開２００７−４４８０
【特許文献２】特開２００７−２９３４８４
【考案の開示】
【考案が解決しようとする課題】
【０００４】
本考案者等は、この自動販売機の市井での普及状況・一般大衆との親和性に着目し、自動販売機の筐体自体にTVや新聞・電車内などと同様なレンタル広告塔としての機能を付加することにより自販機設置者ないし管理者が、自動販売機本来の商品の売上げの外に自らの裁量による一般広告による収益をも併せて得られるようにし、自動販売機の実用効率を高めることを目的とする。
【課題を解決するための手段】
【０００５】
以上の目的を解決するために本考案は、自動販売機の前面又は側面の一部に、当該自動販売機での販売対象品と全く関係しない一般広告（イベント案内を含む）のための専用の広告表示部を装備したことを特徴とする。
【０００６】
また本考案では、広告の内容を時期に合わせてまたは随時手軽に切り替えできるように、映像を電子的に表示する液晶やEL、蛍光パネルなどの電子パネルを広告表示部に装備しておき、その映像信号を発信・制御するための電子制御部を筐体内に設置すしたことも特徴である。
【０００７】
さらに本考案では、前記広告表示部を、自動販売機の販売対象商品とは全く関係のない商品やイベントの宣伝・広告のための専用レンタルスペースとしたので、その広告対象や表示内容は、通常の場合自動販売機のメーカやその商品のメンテナンス業者の管理管轄外の事項となり、自動販売機の設置者がその販売商品のメーカなどに気兼ねすることなく自分の裁量で広告業者と契約して、自動販売機の設置効率を高めることができるのも本考案の特徴である。
【考案の効果】
【０００８】
本考案は以上のように、自動販売機本体の筐体に、当該自動販売機の取り扱い商品と無関係な一般広告やイベントの専用広告表示部を装備したので、自動販売機の設置者・管理者は当該自動販売機の商品売上以外に、自らの裁量によって広く広告収入を得ることができるなど、結果的に自動販売機の用途拡大に貢献でき、その実用性・産業上の利用性も向上する。
【考案を実施するための最良の形態】
【０００９】
以下図面について本考案の実施例を説明する。
図１は広く使用されている飲料品の自動販売機に本考案の広告表示部を装備した実施例の斜視図で、１は自動販売機本体の筐体、２はこの自動販売機で販売される商品の陳列部で、大小各種のお茶のボトルや缶コーヒ、ジュース類が３段に陳列されそれぞれの商品の下部に値段が表示され、陳列棚前面は透明ケースで保護されている。またコイン投入部３、紙幣投入部４、つり銭レバー５、つり銭受取部６、商品取りだし部７も通常の自動販売機と特に変わるものではない。
【００１０】
図において、８は自動販売機筐体１の前面に開口された広告表示部を構成する窓部で、本実施例ではこの窓部８の裏側に一般広告専用の液晶パネル９が配置される。
この液晶パネル９は図２の断面図に示されるように窓部の裏側において開口８に接するように配置され、また開口８には透明な保護板１０が嵌め込まれている。
液晶パネル９は、通常の広告表示パネルやＴＶ画面に使われているものと同様な電子制御式デイスプレーで、保護ケース１１内に収容されて筐体１の内側に固定設置される。この液晶パネルへの広告宣伝用映像信号は、端子部１２を介して筐体内に設けられた電源ボックス１３（図１）から発信・制御される。勿論この電源ボックスは、自動販売機に本来内臓されている照明用や商品の冷蔵や送り出しのための電源やその制御部を兼用してもよい。
【００１１】
この実施例の専用液晶パネル９に表示される広告映像は、前にも述べたように自動販売機の取扱い商品に関係しない商品や団体旅行・不動産・音楽会・展覧会などの一般広告映像であって、自動販売機設置者が広告会社との個別の契約によって任意に採択するものであり、広告会社はその広告媒体を前記電子デイスプレーに適合する電子媒体や適当なソフトで自動販売機設置者に提供することになる。
【００１２】
次にこの実施例では、自動販売機筐体１の側面１’にも広告表示部を装備し、さらなる営業効果を期待できるようにしてある。
即ち１４、１５が側面の広告表示部で、上下２段に設けた例である。この場合は各表示部には商品に関係しないイベント表示板や案内板などを上下の保持枠１４’１４’’間、および保持枠１５’１５’’間に挟み込んで取り付け前記電子媒体とは別の簡易な宣伝広告物を併せて掲示できるようにした。
広告会社やスポンサーは、この表示部１４、１５の大きさに適合する広告表示板を自動販売機設置者に提供して広告を出すことになる。
この場合広告表示板が保持枠から脱落しないよう適当なロック機構を付設しておくのが望ましい。
【００１３】
勿論、この筐体側部には当該自動販売機で発売する商品の広告やブランドを大きく表示し、正面にのみ一般広告専用の表示部を設けてもよく、またこれを逆にしてもよいことは当然である。
【００１４】
以上実施例では専用広告表示部として、液晶パネルと広告板を挟持する保持枠を筐体に装備させた例について説明したが、蛍光板や反射板に広告画像を投影するものなど各種の広告画像や宣伝文字を表示できる機能を備えた装置を採用・装備できることも当然である。
【００１５】
何れの表示装置にいても本考案の専用広告表示部は、自動販売機の取扱い商品に関係しない非競合商品や不動産・イベントなど一般の宣伝・広告専用の表示部として装備することが肝要であり、自動販売機設置者やスポンサーの裁量によってその広告内容を随時または定期的に切り替え可能であることが望ましい。
尚この広告表示部の大きさは大きい方が望ましいが、自動販売機本来の必要機能である発売商品の陳列表示・金銭の授受・商品取りだし機構に支障が生じないようにする必要がるので、場合によっては空きスペースを有効に利用した分割方式の広告表示部としてもよい。
また広告効果を高めるために、広告表示部に内・外部から色彩照明する機構を付設してもよい。
【００１６】
又この専用広告表示部に表示する広告・宣伝内容は、当該自動販売機で発売している商品と競合するものでないことが重要であり、競合する広告を表示することは消費者に混乱を与えたり、場合によっては虚偽表示につながる恐れがあるので留意が必要である。
【図面の簡単な説明】
【００１７】
【図１】この考案の実施例に係る自動販売機の斜視図である。
【図２】図１の広告表示部の部分断面図である。
【符号の説明】
【００１８】
１． 自動販売機の筐体
２． 商品陳列部
３． コイン投入部
４． 紙幣投入部
５． つり銭レバー
６．    つり銭受け
７．    商品取りだし部
８．    一般広告専用の広告表示用窓
９．    液晶パネル
１０．  透明板
１１．  液晶パネル保持フレーム
１２．  制御信号の入出力端子
１３．  電子制御ボックス
１４、１５．側面の専用広告表示部
【図１】
0003140933.tif 000003
【図２】
0003140933.tif 000004